(57)【要約】【課題】冷却装置に異常が発生した場合であっても、継続して運用可能な等化装置を提供する。【解決手段】等化装置の起動時は切替部３０を介して分配部１０からのＩＦ信号を出力し、起動後は等化部５０から等化処理が有効である旨の監視信号が発せられると、切替部３０を介してデジタル−アナログ変換部８０からのＩＦ信号を出力するようにしている。そして、等化処理が有効である際に冷却装置９０−１，９０−２両系が故障して警報信号を発生した場合には、切替部３０を分配部１０からのＩＦ信号を出力するように切り替えるようにしている。【選択図】      図１
2009302651.tif 000002
【特許請求の範囲】
【請求項１】
中間周波数帯の放送波信号を２系統に分配して第１及び第２の放送波信号を出力する分配部と、
前記第１の放送波信号を直交復調する直交復調部と、
前記直交復調された信号を等化処理するものであり、当該等化処理が有効である場合は、有効信号を出力し、無効である場合は、無効信号を出力する等化部と、
前記等化処理された信号を直交変調して第３の放送波信号とする直交変調部と、
前記第２の放送波信号と前記第３の放送波信号とを受け取り、それらのうち一方を選択的に導出する切替部と、
少なくとも前記等化部を冷却するものであり、当該冷却機能に異常が発生した場合、第１の警報信号を出力する冷却手段と、
前記有効信号を受け取ると前記切替部に前記第３の放送波信号を選択させ、前記無効信号を受け取ると前記切替部に前記第２の放送波信号を選択させる第１の制御と、前記切替部が前記第３の放送波信号を選択している際に、前記第１の警報信号を受け取ると前記切替部に前記第２の放送波信号を選択させる第２の制御とを行う制御部と
を具備することを特徴とする等化装置。
【請求項２】
前記直交復調部、等化部、直交変調部の少なくともいずれかにおける異常を検知し、第２の警報信号を送信する異常検知部をさらに備え、
前記制御部は、前記第２の警報信号を受け取ると前記切替部に前記第２の放送波信号を選択させることを特徴とする請求項１記載の等化装置。
【請求項３】
外部から等化機能オフ信号が与えられるとき、
前記制御部は、前記等化機能オフ信号に応じて前記切替部に前記第２の放送波信号を選択させることを特徴とする請求項１記載の等化装置。
【請求項４】
前記直交復調部、前記直交変調部及び前記等化部は、ＦＰＧＡ（Field Programmable Gate Array）によって形成され、
前記冷却手段は、前記ＦＰＧＡを冷却することを特徴とする請求項１に記載の等化装置。
【発明の詳細な説明】
【技術分野】
【０００１】
本発明は、例えばＯＦＤＭ（Orthogonal Frequency Division Multiplexing：直交周波数分割多重）変調方式による放送波信号を中継する中継装置においてマルチパスやマルチパスフェージングを抑圧する等化装置に関する。
【背景技術】
【０００２】
地上デジタル放送システムでは、放送サービスエリアの拡大および難視聴地域の解消を目的として、多数の中継装置を所定のエリアに分散配置し、各中継装置にてＯＦＤＭ変調方式による放送波信号を多段中継する方式が採用されている。この中継装置には、マルチパスやマルチパスフェージング等を抑圧するため、放送波信号を等化することが可能な等化装置が備えられている（例えば、特許文献１及び２参照）。
【０００３】
ところで、上記等化装置は、冷却装置を備えており、この冷却装置により等化装置の内部を冷却し、等化装置の運用による装置内の温度上昇を抑制している。そして、装置内の温度をモニタし、モニタ温度が閾値を超える際には、冷却装置に故障が発生したとして等化処理を停止するようにしている。
【０００４】
しかしながら、上記のような従来の等化装置では、冷却装置故障時に等化装置の運用自体を停止してしまうため、放送波信号の中継に支障をきたしていた。
【特許文献１】特開２００１−３３３０４２号公報
【特許文献２】特開平１１−６９２４６号公報
【発明の開示】
【発明が解決しようとする課題】
【０００５】
以上のように、従来の等化装置では、冷却装置に異常が発生すると、等化装置の運用自体を停止してしまうため、放送波信号の中継に支障をきたしていた。
【０００６】
本発明は上記事情によりなされたもので、その目的は、冷却装置に異常が発生した場合であっても、継続して運用可能な等化装置を提供することにある。
【課題を解決するための手段】
【０００７】
上記目的を達成するため、本発明に係る等化装置は、中間周波数帯の放送波信号を２系統に分配して第１及び第２の放送波信号を出力する分配部と、前記第１の放送波信号を直交復調する直交復調部と、前記直交復調された信号を等化処理するものであり、当該等化処理が有効である場合は、有効信号を出力し、無効である場合は、無効信号を出力する等化部と、前記等化処理された信号を直交変調して第３の放送波信号とする直交変調部と、前記第２の放送波信号と前記第３の放送波信号とを受け取り、それらのうち一方を選択的に導出する切替部と、少なくとも前記等化部を冷却するものであり、当該冷却機能に異常が発生した場合、第１の警報信号を出力する冷却手段と、前記有効信号を受け取ると前記切替部に前記第３の放送波信号を選択させ、前記無効信号を受け取ると前記切替部に前記第２の放送波信号を選択させる第１の制御と、前記切替部が前記第３の放送波信号を選択している際に、前記第１の警報信号を受け取ると前記切替部に前記第２の放送波信号を選択させる第２の制御とを行う制御部とを具備する。
【０００８】
上記構成による等化装置では、等化処理が有効であっても、冷却手段が故障した場合には、切替部を分配部からの放送波信号を出力するように切り替え、入力された信号を直接出力するようにしている。これにより、冷却手段が故障した場合であっても、等化装置は継続して運用されることとなる。
【発明の効果】
【０００９】
本発明によれば、冷却装置に異常が発生した場合であっても、継続して運用可能な等化装置を提供することができる。
【発明を実施するための最良の形態】
【００１０】
以下、図面を参照しながら本発明に係る等化装置の実施の形態について詳細に説明する。尚、以下の説明では、基地局から送信されたＯＦＤＭ変調方式の放送波信号を中継する中継装置に用いられる等化装置であって、この等化装置には、受信された放送波信号がＩＦ信号に変換されて与えられるものとする。
【００１１】
図１は、上記等化装置の機能構成を示すブロック図である。図１において、上記ＩＦ信号は、分配部１０で２系統に分配され、一方はアナログ−デジタル（Ａ／Ｄ）変換部２０に供給され、他方は切替部３０に供給される。
【００１２】
ＩＦ信号は、アナログ−デジタル変換部２０でデジタル信号に変換され、直交復調部４０で直交復調されベースバンドのＯＦＤＭ変調波となり、等化部５０に供給される。
【００１３】
等化部５０は、入力されたＯＦＤＭ変調波のマルチパス等化処理及びシンボル判定処理を行う。このとき、等化部５０は、ＯＦＤＭ変調波を復調し、復調後に得られた時間軸上の情報信号のフレーム同期を取ることにより等化処理を行う。ここで、情報信号のフレーム同期が取れ、入力されたＯＦＤＭ変調波の等化処理を有効に行うことが可能である場合には、等化部５０は、等化機能が有効である旨の監視信号を制御部６０に通知する。また、フレーム同期を取ることができず、等化処理を有効に行えない場合には、等化機能が無効である旨の監視信号を制御部６０に通知する。
【００１４】
等化部５０で等化処理されたＯＦＤＭ変調波は、直交変調部７０で直交変調され、デジタル−アナログ（Ｄ／Ａ）変換部８０でＩＦ信号に変換され、切替部３０に供給される。なお、本実施形態では、直交復調部４０、直交変調部７０及び等化部５０は、ＦＰＧＡ（Field Programmable Gate Array）により実現されて等化装置に実装されている。
【００１５】
切替部３０は、分配部１０で分配されたＩＦ信号とデジタル−アナログ変換部８０からのＩＦ信号とを受け取り、どちらか一方を選択的に導出する。
【００１６】
冷却装置９０−１，９０−２は、ＦＧＰＡの冷却処理を行う装置であり、二重化されている。冷却装置９０−１，９０−２は、冷却機能に異常が発生すると、制御部６０に警報信号を出力する。
【００１７】
異常検知部１００は、等化装置のアナログ−デジタル変換部２０、直交復調部４０、直交変調部７０及びデジタル−アナログ変換部８０等の異常を検知し、制御部６０に警報信号を出力する。ここでの異常とは、例えばデジタル−アナログ変換部８０においては、信号変換時のクロック信号に異常が発生すること等が挙げられる。
【００１８】
受信部１１０は、外部装置（図示せず）からの等化機能オン／オフ信号を受信し、受信した等化機能オン／オフ信号を制御部６０に供給する。
【００１９】
制御部６０は、等化部５０から等化処理が有効である旨の監視信号を受け取ると切替部３０にデジタル−アナログ変換部８０からのＩＦ信号を選択させるよう切替制御し、等化処理が無効である旨の監視信号を受け取ると切替部３０に分配部１０からのＩＦ信号を選択させるよう切替制御する。また、制御部６０は、切替部３０がデジタル−アナログ変換部８０からのＩＦ信号を導出している際に、冷却装置９０−１，９０−２の両系から警報信号を受け取ると、切替部３０に分配部１０からのＩＦ信号を選択させるよう切替制御する。なお、冷却装置９０−１，９０−２のうち一方のみから警報信号を受け取った場合には、切替部３０の切替制御はせず、等化処理を継続させる。また、制御部６０は、異常検知部１００からの警報信号を受け取ると、切替部３０に分配部１０からのＩＦ信号を選択させるよう切替制御する。さらに、制御部６０は、外部装置からの等化機能オフ信号を受け取ると、切替部３０に分配部１０からのＩＦ信号を選択させるよう切替制御する。
【００２０】
また、制御部６０は、冷却装置９０−１，９０−２両系からの警報信号を受け取って切替部３０の切替制御を行った際には、発熱源となる直交復調部４０、直交変調部７０及び等化部５０を実装するＦＰＧＡをリセットするよう制御する。
【００２１】
図２は、本発明の一実施形態に係る制御部６０によるモードの切り替えを示す図である。ここでは、切替部３０が分配部１０からのＩＦ信号を導出するモードをバイパスモード、切替部３０がデジタル−アナログ変換部８０からのＩＦ信号を導出するモードを等化モードと称して説明する。
【００２２】
等化装置の起動時には、等化部５０における等化機能は無効であり、切替部３０は、バイパスモードとなるように制御されている（図２における状態１）。制御部６０は、起動時におけるバイパスモードでは、冷却装置９０−１，９０−２からの警報信号、異常検知部１００からの警報信号及び外部装置からの等化機能オン／オフ信号を受け取っても、モードの切り替えは行わない。
【００２３】
装置起動後、制御部６０は、等化部５０から等化機能が有効である旨の監視信号を受け取り、冷却装置９０−１，９０−２及び異常検知部１００からの警報信号が無い場合、切替部３０を制御してモードを等化モードに切り替える（図２における状態２）。この状態で、等化機能オフ信号を受け取ると、モードをバイパスモードに切り換える（図２における状態３）。
【００２４】
装置起動後、制御部６０は、等化モードにおいて冷却装置９０−１，９０−２両系から警報信号を受けると、モードをバイパスモードに切り換える（図２における状態４）。また、制御部６０は、等化モードにおいて異常検知部１００からの警報信号を受けると、モードをバイパスモードに切り換える（図２における状態５）。さらに、制御部６０は、等化モードにおいて等化部５０から等化機能が無効である旨の監視信号を受け取った場合、モードをバイパスモードに切り替える（図２における状態６）。
【００２５】
以上のように、上記一実施形態に係る等化装置は、等化装置の起動時はバイパスモードとなっており、起動後に等化部５０から等化処理が有効である旨の監視信号が発せられると、切替部３０を切り替えて等化モードに切り替える。そして、等化モードの際に、冷却装置９０−１，９０−２両系が故障して警報信号を発生した場合には、モードをバイパスモードに切り替えるようにしている。これにより、冷却装置９０−１，９０−２両系が故障した場合であっても、等化装置は、運用自体を停止せず、入力されたＩＦ信号を直接折り返して出力することが可能となる。また、バイパスモードでは、冷却装置９０−１，９０−２が使用されることはないため、その間に、故障した冷却装置９０−１，９０−２を保守することが可能である。
【００２６】
また、等化装置は、等化モードにおいて、異常検知部１００から警報信号を受け取ると、モードをバイパスモードに切り替えるようにしている。これにより、等化装置の各構成要素に異常が発生しても、等化装置はバイパスモードによりＩＦ信号を出力することが可能となる。バイパスモードでは、分配部１０と切替部３０以外の構成要素が使用されることはないため、その間に、故障した構成要素を保守することが可能である。
【００２７】
したがって、本発明に係る等化装置は、冷却装置に異常が発生した場合であっても、継続して運用可能であるため、この等化装置を備える中継装置は、継続して放送波信号を中継することができる。
【００２８】
なお、本発明は上記実施形態に限定されるものではない。例えば、中継装置に設けられた等化装置について説明しているが、中継装置に限定されることは無く、例えば、受信装置に設けられる場合であっても同様に実施可能である。
【００２９】
また、等化処理が無効になる例としてクロック同期がとれない場合を挙げているが、等化処理が無効になる要因はこれに限定されるわけではない。
【００３０】
さらに、本発明は、実施段階ではその要旨を逸脱しない範囲で構成要素を変形して具体化できる。また、上記実施形態で開示されている複数の構成要素を適宜組み合わせることにより、種々の発明を形成できる。例えば、実施形態に示された全構成要素からいくつかの構成要素を削除してもよい。
【図面の簡単な説明】
【００３１】
【図１】本発明の一実施形態に係る等化装置の機能構成を示すブロック図である。
【図２】図１の制御部によるモードの切り替えを示す図である。
【符号の説明】
【００３２】
１０…分配部
２０…Ａ／Ｄ
３０…切替部
４０…直交復調部
５０…等化部
６０…制御部
７０…直交変調部
８０…Ｄ／Ａ
９０−１，９０−２…冷却装置
１００…異常検知部
１１０…受信部
【図１】
2009302651.tif 000003
【図２】
2009302651.tif 000004